【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
移動局が移動しながら通信を行う移動体通信システムであって、
所定の路線を移動する移動体に設けられた移動局と、
前記路線に沿って設けられて、それぞれ同じ周波数帯域の同じチャネルにて前記移動局と無線通信を行う複数の基地局と
を備え、
前記移動局は、
複数の前記基地局のうち、同時に通信すべき２つの基地局を、経時的に繰り返し選定する基地局選定部と、
前記基地局選定部が今回選定した基地局と、前記基地局選定部が前回選定した基地局とを比較して、前回選定されていて、今回選定されなかった基地局があるか否かを判定する第１の選定基地局判定部と、
前記基地局選定部が今回選定した基地局と、前記基地局選定部が前回選定した基地局とを比較して、前回選定されておらず、今回選定された基地局があるか否かを判定する第２の選定基地局判定部と、
前回選定されていて、今回選定されなかった基地局があると前記第１の選定基地局判定部が判定した場合、当該基地局に対して、ダウンリンクを禁止する旨を命令するデータを送信する禁止命令データ送信部と、
前回選定されておらず、今回選定された基地局があると前記第２の選定基地局判定部が判定した場合、当該基地局に対して、ダウンリンクを許可する旨を命令するデータを送信する許可命令データ送信部と
を有し、
複数の前記基地局のうち、地理的に隣接する２つの基地局は、一方の基地局の通信範囲と他方の基地局の通信範囲とが重なる領域内に前記移動局がある場合に、一方の基地局から前記移動局までの距離と、他方の基地局から前記移動局までの距離との差が、２つの基地局から同時に送信されるデータのガードインターバルの長さに相当する時間に電波が伝搬し得る距離よりも小さくなるように配置される
移動体通信システム。
【請求項２】
移動局が移動しながら通信を行う移動体通信システムであって、
所定の路線を移動する移動体に設けられた移動局と、
前記路線に沿って設けられて、それぞれ同じ周波数帯域の同じチャネルにて前記移動局と無線通信を行う複数の基地局と
を備え、
前記移動局は、
複数の前記基地局のうち、同時に通信すべき２つの基地局を、経時的に繰り返し選定する基地局選定部と、
前記基地局選定部が今回選定した基地局と、前記基地局選定部が前回選定した基地局とを比較して、前回選定されていて、今回選定されなかった基地局があるか否かを判定する第１の選定基地局判定部と、
前記基地局選定部が今回選定した基地局と、前記基地局選定部が前回選定した基地局とを比較して、前回選定されておらず、今回選定された基地局があるか否かを判定する第２の選定基地局判定部と、
前回選定されていて、今回選定されなかった基地局があると前記第１の選定基地局判定部が判定した場合、当該基地局に対して、ダウンリンクを禁止する旨を命令するデータを送信する禁止命令データ送信部と、
前回選定されておらず、今回選定された基地局があると前記第２の選定基地局判定部が判定した場合、当該基地局に対して、ダウンリンクを許可する旨を命令するデータを送信する許可命令データ送信部と
を有し、
複数の前記基地局のうち、地理的に隣接する２つの基地局は、一方の基地局の通信範囲と他方の基地局の通信範囲とが重なる領域内に前記移動局がある場合に、一方の基地局から前記移動局までの距離と、他方の基地局から前記移動局までの距離との差が、一方の基地局に指定された拡散符号を用いている状態から他方の基地局に指定された拡散符号を用いる状態に切り替わるのに要する時間に電波が伝搬し得る距離よりも小さくなるように配置される
移動体通信システム。
【請求項３】
移動局が移動しながら通信を行う移動体通信方法であって、
所定の路線を移動する移動体に設けられた移動局が、前記路線に沿って設けられて、それぞれ同じ周波数帯域の同じチャネルにて前記移動局と無線通信を行う複数の基地局のうち、同時に通信すべき２つの基地局を、経時的に繰り返し選定する基地局選定段階と、
前記基地局選定段階において今回選定された基地局と、前記基地局選定段階において前回選定された基地局とを比較して、前回選定されていて、今回選定されなかった基地局があるか否かを判定する第１の選定基地局判定段階と、
前記基地局選定段階において今回選定された基地局と、前記基地局選定段階において前回選定された基地局とを比較して、前回選定されておらず、今回選定された基地局があるか否かを判定する第２の選定基地局判定段階と、
前回選定されていて、今回選定されなかった基地局があると前記第１の選定基地局判定段階において判定された場合、当該基地局に対して、ダウンリンクを禁止する旨を命令するデータを送信する禁止命令データ送信段階と、
前回選定されておらず、今回選定された基地局があると前記第２の選定基地局判定段階において判定された場合、当該基地局に対して、ダウンリンクを許可する旨を命令するデータを送信する許可命令データ送信段階と
を備え、
複数の前記基地局のうち地理的に隣接する２つの基地局が、一方の基地局の通信範囲と他方の基地局の通信範囲とが重なる領域内に前記移動局がある場合に、一方の基地局から前記移動局までの距離と、他方の基地局から前記移動局までの距離との差が、２つの基地局から同時に送信されるデータのガードインターバルの長さに相当する時間に電波が伝搬し得る距離よりも小さくなるように配置されたものである
移動体通信方法。
【請求項４】
移動局が移動しながら通信を行う移動体通信方法であって、
所定の路線を移動する移動体に設けられた移動局が、前記路線に沿って設けられて、それぞれ同じ周波数帯域の同じチャネルにて前記移動局と無線通信を行う複数の基地局のうち、同時に通信すべき２つの基地局を、経時的に繰り返し選定する基地局選定段階と、  前記基地局選定段階において今回選定された基地局と、前記基地局選定段階において前回選定された基地局とを比較して、前回選定されていて、今回選定されなかった基地局があるか否かを判定する第１の選定基地局判定段階と、
前記基地局選定段階において今回選定された基地局と、前記基地局選定段階において前回選定された基地局とを比較して、前回選定されておらず、今回選定された基地局があるか否かを判定する第２の選定基地局判定段階と、
前回選定されていて、今回選定されなかった基地局があると前記第１の選定基地局判定段階において判定された場合、当該基地局に対して、ダウンリンクを禁止する旨を命令するデータを送信する禁止命令データ送信段階と、
前回選定されておらず、今回選定された基地局があると前記第２の選定基地局判定段階において判定された場合、当該基地局に対して、ダウンリンクを許可する旨を命令するデータを送信する許可命令データ送信段階と
を備え、
複数の前記基地局のうち地理的に隣接する２つの基地局が、一方の基地局の通信範囲と他方の基地局の通信範囲とが重なる領域内に前記移動局がある場合に、一方の基地局から前記移動局までの距離と、他方の基地局から前記移動局までの距離との差が、一方の基地局に指定された拡散符号を用いている状態から他方の基地局に指定された拡散符号を用いる状態に切り替わるのに要する時間に電波が伝搬し得る距離よりも小さくなるように配置されたものである
移動体通信方法。
【手続補正２】
【補正対象書類名】明細書
【補正対象項目名】発明の名称
【補正方法】変更
【補正の内容】
【発明の名称】移動体通信システム及び移動体通信方法
【手続補正３】
【補正対象書類名】明細書
【補正対象項目名】０００１
【補正方法】変更
【補正の内容】
【０００１】
本発明は、移動体通信システム及び移動体通信方法に関する。特に本発明は、移動局が移動しながら通信を行う移動体通信システム及び移動体通信方法に関する。
【手続補正４】
【補正対象書類名】明細書
【補正対象項目名】０００９
【補正方法】変更
【補正の内容】
【０００９】
上記課題を解決するために、本発明の第１の形態によると、移動局が移動しながら通信を行う移動体通信システムであって、所定の路線を移動する移動体に設けられた移動局と、路線に沿って設けられて、それぞれ同じ周波数帯域の同じチャネルにて移動局と無線通信を行う複数の基地局とを備え、移動局は、複数の基地局のうち、同時に通信すべき２つの基地局を、経時的に繰り返し選定する基地局選定部と、基地局選定部が今回選定した基地局と、基地局選定部が前回選定した基地局とを比較して、前回選定されていて、今回選定されなかった基地局があるか否かを判定する第１の選定基地局判定部と、基地局選定部が今回選定した基地局と、基地局選定部が前回選定した基地局とを比較して、前回選定されておらず、今回選定された基地局があるか否かを判定する第２の選定基地局判定部と、前回選定されていて、今回選定されなかった基地局があると第１の選定基地局判定部が判定した場合、当該基地局に対して、ダウンリンクを禁止する旨を命令するデータを送信する禁止命令データ送信部と、前回選定されておらず、今回選定された基地局があると第２の選定基地局判定部が判定した場合、当該基地局に対して、ダウンリンクを許可する旨を命令するデータを送信する許可命令データ送信部とを有する。さらに、複数の前記基地局のうち、地理的に隣接する２つの基地局は、一方の基地局の通信範囲と他方の基地局の通信範囲とが重なる領域内に前記移動局がある場合に、一方の基地局から前記移動局までの距離と、他方の基地局から前記移動局までの距離との差が、一方の基地局に指定された拡散符号を用いている状態から他方の基地局に指定された拡散符号を用いる状態に切り替わるのに要する時間に電波が伝搬し得る距離よりも小さくなるように配置される。
【手続補正５】
【補正対象書類名】明細書
【補正対象項目名】００１０
【補正方法】変更
【補正の内容】
【００１０】
本発明の第２の形態によると、移動局が移動しながら通信を行う移動体通信システムであって、所定の路線を移動する移動体に設けられた移動局と、路線に沿って設けられて、それぞれ同じ周波数帯域の同じチャネルにて移動局と無線通信を行う複数の基地局とを備え、移動局は、複数の基地局のうち、同時に通信すべき２つの基地局を、経時的に繰り返し選定する基地局選定部と、基地局選定部が今回選定した基地局と、基地局選定部が前回選定した基地局とを比較して、前回選定されていて、今回選定されなかった基地局があるか否かを判定する第１の選定基地局判定部と、基地局選定部が今回選定した基地局と、基地局選定部が前回選定した基地局とを比較して、前回選定されておらず、今回選定された基地局があるか否かを判定する第２の選定基地局判定部と、前回選定されていて、今回選定されなかった基地局があると第１の選定基地局判定部が判定した場合、当該基地局に対して、ダウンリンクを禁止する旨を命令するデータを送信する禁止命令データ送信部と、前回選定されておらず、今回選定された基地局があると第２の選定基地局判定部が判定した場合、当該基地局に対して、ダウンリンクを許可する旨を命令するデータを送信する許可命令データ送信部とを有する。さらに、複数の前記基地局のうち、地理的に隣接する２つの基地局は、一方の基地局の通信範囲と他方の基地局の通信範囲とが重なる領域内に前記移動局がある場合に、一方の基地局から前記移動局までの距離と、他方の基地局から前記移動局までの距離との差が、一方の基地局に指定された拡散符号を用いている状態から他方の基地局に指定された拡散符号を用いる状態に切り替わるのに要する時間に電波が伝搬し得る距離よりも小さくなるように配置される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の第３の形態によると、移動局が移動しながら通信を行う移動体通信方法であって、所定の路線を移動する移動体に設けられた移動局が、路線に沿って設けられて、それぞれ同じ周波数帯域の同じチャネルにて移動局と無線通信を行う複数の基地局のうち、同時に通信すべき２つの基地局を、経時的に繰り返し選定する基地局選定段階と、基地局選定段階において今回選定された基地局と、基地局選定段階において前回選定された基地局とを比較して、前回選定されていて、今回選定されなかった基地局があるか否かを判定する第１の選定基地局判定段階と、基地局選定段階において今回選定された基地局と、基地局選定段階において前回選定された基地局とを比較して、前回選定されておらず、今回選定された基地局があるか否かを判定する第２の選定基地局判定段階と、前回選定されていて、今回選定されなかった基地局があると第１の選定基地局判定段階において判定された場合、当該基地局に対して、ダウンリンクを禁止する旨を命令するデータを送信する禁止命令データ送信段階と、前回選定されておらず、今回選定された基地局があると第２の選定基地局判定段階において判定された場合、当該基地局に対して、ダウンリンクを許可する旨を命令するデータを送信する許可命令データ送信段階とを備える。複数の前記基地局のうち地理的に隣接する２つの基地局は、一方の基地局の通信範囲と他方の基地局の通信範囲とが重なる領域内に前記移動局がある場合に、一方の基地局から前記移動局までの距離と、他方の基地局から前記移動局までの距離との差が、２つの基地局から同時に送信されるデータのガードインターバルの長さに相当する時間に電波が伝搬し得る距離よりも小さくなるように配置されたものである。
【手続補正８】
【補正対象書類名】明細書
【補正対象項目名】００１３
【補正方法】変更
【補正の内容】
【００１３】
本発明の第４の形態によると、移動局が移動しながら通信を行う移動体通信方法であって、所定の路線を移動する移動体に設けられた移動局が、路線に沿って設けられて、それぞれ同じ周波数帯域の同じチャネルにて移動局と無線通信を行う複数の基地局のうち、同時に通信すべき２つの基地局を、経時的に繰り返し選定する基地局選定段階と、基地局選定段階において今回選定された基地局と、基地局選定段階において前回選定された基地局とを比較して、前回選定されていて、今回選定されなかった基地局があるか否かを判定する第１の選定基地局判定段階と、基地局選定段階において今回選定された基地局と、基地局選定段階において前回選定された基地局とを比較して、前回選定されておらず、今回選定された基地局があるか否かを判定する第２の選定基地局判定段階と、前回選定されていて、今回選定されなかった基地局があると第１の選定基地局判定段階において判定された場合、当該基地局に対して、ダウンリンクを禁止する旨を命令するデータを送信する禁止命令データ送信段階と、前回選定されておらず、今回選定された基地局があると第２の選定基地局判定段階において判定された場合、当該基地局に対して、ダウンリンクを許可する旨を命令するデータを送信する許可命令データ送信段階とを備える。複数の前記基地局のうち地理的に隣接する２つの基地局は、一方の基地局の通信範囲と他方の基地局の通信範囲とが重なる領域内に前記移動局がある場合に、一方の基地局から前記移動局までの距離と、他方の基地局から前記移動局までの距離との差が、一方の基地局に指定された拡散符号を用いている状態から他方の基地局に指定された拡散符号を用いる状態に切り替わるのに要する時間に電波が伝搬し得る距離よりも小さくなるように配置されたものである。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】